【手続補正書】
【提出日】平成26年11月28日(2014.11.28)
【手続補正１】
【補正対象書類名】特許請求の範囲
【補正対象項目名】全文
【補正方法】変更
【補正の内容】
【特許請求の範囲】
【請求項１】
実行されると、プロセッサまたはコンピュータシステムにプロセスを行わせるように構成された命令を表すコードを記憶する、実体のあるコンピュータ可読記憶媒体であって、前記コードが、
ソーシャルメディアアプリケーションを使用して、前記ソーシャルメディアアプリケーションの共有者アカウントと関連付けられた複数の共有者コンテンツにアクセスする、消費者アカウントと関連付けられた要求を受信し、
前記要求に応答して、前記要求が受信される前に発生する期間の間の、前記消費者アカウントを介した、前記ソーシャルメディアアプリケーションとの複数の相互作用を表す、複数の消費者値を抽出し、
前記複数の消費者値に基づいて、前記複数の共有者コンテンツから共有者コンテンツのサブセットを選択し、
前記複数の消費者値に基づき、かつ前記選択された共有者コンテンツのサブセットを使用して、前記消費者アカウントを介した実行のためにカスタマイズされた表示の一部分を定義する、コードを含む、実体のあるコンピュータ可読記憶媒体。
【請求項２】
前記ソーシャルメディアアプリケーションが、第１のソーシャルメディアアプリケーションであり、前記複数の共有者コンテンツの少なくとも一部分が、前記第１のソーシャルメディアアプリケーションと連動するように構成される、第２のソーシャルメディアアプリケーションからの前記共有者アカウントと関連付けられる、請求項１に記載の実体のあるコンピュータ可読記憶媒体。
【請求項３】
前記要求に応答して、前記消費者アカウントの消費者識別子と前記共有者アカウントの共有者識別子との間の関係のタイプを表す関係値にアクセスするコードをさらに含み、
前記共有者コンテンツのサブセットの前記選択が、前記関係値に基づく、請求項１に記載の実体のあるコンピュータ可読記憶媒体。
【請求項４】
前記共有者識別子を起点とするソーシャルネットワークに基づいて、前記消費者アカウントの消費者識別子と前記共有者アカウントの共有者識別子との間の関係の特徴を定義するコードをさらに含み、前記ソーシャルネットワークが、前記消費者識別子および前記共有者識別子を含む前記ソーシャルメディアアプリケーションと関連付けられた複数のユーザ識別子の間の複数の関係により定義され、
前記共有者コンテンツのサブセットの少なくとも一部分の選択が、前記消費者識別子と前記共有者識別子との間の前記関係の前記特徴に基づく、請求項１に記載の実体のあるコンピュータ可読記憶媒体。
【請求項５】
前記表示の前記部分が、前記表示の第１の部分であり、前記共有者コンテンツのサブセットが、前記共有者コンテンツの第１のサブセットであり、
前記コードが、
前記表示の前記第１の部分の実行をトリガし、
前記表示の前記第１の部分を実行する間に、前記複数の消費者値に基づいて、前記複数の共有者コンテンツから第２の共有者コンテンツのサブセットを選択し、
前記表示の前記第１の部分を表示する間に、前記複数の消費者値に基づいて、前記表示の第２の部分を定義する、コードをさらに含む、請求項１に記載の実体のあるコンピュータ可読記憶媒体。
【請求項６】
前記複数の消費者値の少なくとも一部分に基づいて、複数の表示テンプレートから１つの表示テンプレートを選択するコードをさらに含み、前記表示の前記部分が、前記表示テンプレートの構成に基づいて、ビジュアル構成またはオーディオ構成の少なくとも１つを有する、請求項１に記載の実体のあるコンピュータ可読記憶媒体。
【請求項７】
前記複数の相互作用が、前記ソーシャルメディアアプリケーションが、前記消費者アカウントを介してアクセスされた第１の時間と、前記ソーシャルメディアアプリケーションが、前記消費者アカウントを介してアクセスされた第２の時間と、を含み、前記第１の時間が、前記期間の開始を定義し、前記第２の時間が、前記期間の終了を定義し、
前記選択が、前記期間の間に記憶される前記複数の共有者コンテンツの一部分に制限される、請求項１に記載の実体のあるコンピュータ可読記憶媒体。
【請求項８】
前記複数の消費者値が、前記ソーシャルメディアアプリケーションから独立したアプリケーションとの相互作用を表す消費者値を含む、請求項１に記載の実体のあるコンピュータ可読記憶媒体。
【請求項９】
前記共有者コンテンツのサブセットの第１の部分を第１の文脈的カテゴリと関連付け、前記共有者コンテンツのサブセットの第２の部分を前記第１の文脈的カテゴリとは異なる第２の文脈的カテゴリと関連付けるコードをさらに含み、
前記選択が、前記複数の消費者値と前記第１の文脈的カテゴリとの間の関係に基づいて、前記共有者コンテンツの前記サブセットの前記第１の部分を選択する工程を含み、前記選択が、前記複数の消費者値と前記第２の文脈的カテゴリとの間の関係に基づいて、前記共有者コンテンツの前記サブセットの前記第２の部分を選択する工程を含む、請求項１に記載の実体のあるコンピュータ可読記憶媒体。
【請求項１０】
前記共有者コンテンツのサブセットの第１の部分を第１の文脈的カテゴリと関連付け、前記共有者コンテンツのサブセットの第２の部分を前記第１の文脈的カテゴリとは異なる第２の文脈的カテゴリと関連付けるコードをさらに含み、
前記表示の前記部分が、前記第１の文脈的カテゴリおよび前記第２の文脈的カテゴリに基づいて、前記共有者コンテンツのサブセットの時系列から独立して定義される、前記共有者コンテンツのサブセットからの一連の共有者コンテンツを含む、請求項１に記載の実体のあるコンピュータ可読記憶媒体。
【請求項１１】
前記表示の前記部分が、前記表示の第１の部分であり、
前記コードが、
前記共有者コンテンツのサブセットから除外され、文脈的カテゴリを表すコンテンツ値に基づいて、前記表示の前記第１の部分に文脈的に関連する、複数の共有者コンテンツからの共有者コンテンツの一部分に対するレファレンスを含む、前記表示の第２の部分を定義するコードをさらに含む、請求項１に記載の実体のあるコンピュータ可読記憶媒体。
【請求項１２】
前記共有者コンテンツのサブセットの前記選択が、前記複数の消費者値の第１の部分に基づき、前記ビジュアル構成の前記定義が、前記複数の消費者値の前記第１の部分とは異なる、前記複数の消費者値の第２の部分に基づく、請求項１に記載の実体のあるコンピュータ可読記憶媒体。
【請求項１３】
実行されると、プロセッサにプロセスを行わせるように構成された命令を表すコードを記憶する、実体のあるコンピュータ可読記憶媒体であって、前記コードが、
前記ソーシャルメディアアプリケーションを使用して、前記ソーシャルメディアアプリケーションを使用する共有者アカウントと関連付けられた複数の共有者コンテンツにアクセスする、消費者アカウントを介してトリガされる要求を受信するコードと、
前記要求に応答して、前記ソーシャルメディアアプリケーションとの複数の相互作用を表す、複数の消費者値を抽出するコードであって、前記複数の相互作用が、前記要求が受信される前に発生する期間の間に、前記消費者アカウントと関連付けられるコードと、
前記複数の消費者値および前記複数の共有者コンテンツからの共有者コンテンツの第１の部分に基づいて、表示の第１の部分を定義するコードと、
前記消費者アカウントを介して発生する、前記表示の前記第１の部分との相互作用を検出するコードと、
前記複数の消費者値、前記複数の共有者コンテンツからの共有者コンテンツの第２の部分、および前記表示の前記第１の部分との相互作用の組み合わせに基づいて、前記表示の第２の部分を定義するコードと、
を含む、実体のあるコンピュータ可読記憶媒体。
【請求項１４】
前記消費者アカウントが、第１の消費者アカウントであり、前記要求が、第１の要求であり、前記表示が、前記第１の消費者アカウントに対してカスタマイズされた第１の表示であり、
前記コードが、
前記ソーシャルメディアアプリケーションを使用して、前記複数の共有者コンテンツにアクセスする、第２の消費者アカウントを介してトリガされる、第２の要求を受信し、
前記第２の消費者アカウントの消費者識別子と共有者識別子との間の関係を表す関係値を受信し、
前記第２の消費者識別子と、前記第１の消費者アカウントの第１の消費者識別子と前記共有者識別子との間の関係を表す関係値とは異なる、前記第２の消費者識別子と前記共有者識別子との間の関係を表す関係値に応答して、前記第２の消費者アカウントに対してカスタマイズされた第２の表示に包含するための、共有者コンテンツの第３の部分を、前記複数の共有者コンテンツから選択する、コードをさらに含み、前記共有者コンテンツの第３の部分が、前記共有者コンテンツの第１の部分とは異なり、かつ前記共有者コンテンツの第２の部分とも異なる、
請求項１３に記載の実体のあるコンピュータ可読記憶媒体。
【請求項１５】
前記共有者コンテンツの前記第１の部分の主題の分析に基づいて、前記共有者コンテンツの第１の部分を複数の文脈的カテゴリからの文脈的カテゴリと関連付け、
前記文脈的カテゴリに関連する前記複数の消費者値からの消費者値に応答して、前記表示の前記第１の部分に包含するために、前記複数の共有者コンテンツから前記共有者コンテンツの第１の部分を選択する、コードをさらに含む、請求項１３に記載の実体のあるコンピュータ可読記憶媒体。
【請求項１６】
前記消費者アカウントと関連付けられた消費者識別子と、前記共有者アカウントと関連付けられた共有者識別子との間の関係の特徴を表す関係値を受信し、
前記複数の消費者値および前記関係値に基づいて、前記複数の共有者コンテンツから前記共有者コンテンツの第１の部分を選択する、コードをさらに含む、請求項１３に記載の実体のあるコンピュータ可読記憶媒体。
【請求項１７】
前記表示の前記第１の部分が、レファレンスを含み、前記消費者と前記表示の前記第１の部分との相互作用が、前記消費者アカウントを経由する前記レファレンスとの相互作用を含み、
前記コードが、
前記消費者アカウントに対する前記表示の前記第１の部分のストリーミングをトリガし、
前記消費者アカウントを介して発生する相互作用に応答して、前記消費者アカウントに対する前記表示の前記第１の部分の前記ストリーミングを妨害し、
前記消費者アカウントを介して発生する相互作用に応答して、前記消費者アカウントに対する前記表示の前記第２の部分のストリーミングをトリガする、コードをさらに含む、請求項１３に記載の実体のあるコンピュータ可読記憶媒体。
【請求項１８】
実体のあるコンピュータ可読記憶媒体上に記憶された命令を含む、コンピュータシステムであって、
ソーシャルメディアアプリケーションを使用して、前記ソーシャルメディアアプリケーションの共有者アカウントと関連付けられた複数の共有者コンテンツにアクセスする、消費者アカウントを介してトリガされる要求を受信するように構成される、表示モジュールと、
前記要求に応答して、前記共有者アカウントと関連付けられたソーシャルネットワーク内の前記消費者アカウントの消費者識別子と前記共有者アカウントの共有者識別子との間の関係のタイプを表す関係値にアクセスするように構成される、関係モジュールと、
前記関係値に基づいて、前記複数の共有者コンテンツから共有者コンテンツのサブセットを選択するように構成され、かつ前記関係値に基づいて、表示の一部分内の前記共有者コンテンツのサブセットの構成を定義するように構成される、表示複合モジュールと、
を備える、コンピュータシステム。
【請求項１９】
前記表示の前記部分が、複合時間ウィンドウの持続時間に対応する持続時間を有する前記表示の第１の部分であり、前記表示モジュールが、前記消費者デバイスに対して、前記表示の前記第１の部分のストリーミングをトリガするように構成され、
前記表示複合モジュールが、前記表示の前記第１の部分のストリーミングが完了する前に、前記複合時間ウィンドウの前記持続時間に対応する持続時間を有する前記表示の第２の部分を定義するように構成される、請求項１８に記載のコンピュータシステム。
【請求項２０】
前記関係モジュールが、前記共有者アカウントと関連付けられた前記ソーシャルネットワークに基づいて、前記消費者アカウントの消費者識別子と前記共有者アカウントの共有者識別子との間の関係の特徴を定義するように構成され、前記ソーシャルネットワークが、前記消費者識別子および前記共有者識別子を含む、前記ソーシャルメディアアプリケーションの複数のユーザ識別子の間の複数の関係により定義され、前記関係値が、前記関係の前記特徴を表す、請求項１８に記載のコンピュータシステム。
【請求項２１】
前記要求に応答して、前記要求が受信される前に発生する持続時間の間の、前記消費者アカウントを介した前記ソーシャルメディアアプリケーションとの複数の相互作用を表す複数の消費者値を抽出するように構成される、消費者モジュールをさらに備え、
前記表示モジュールが、前記複数の消費者値に基づいて、前記表示の前記部分内の前記共有者コンテンツのサブセットの前記構成を定義するように構成され、
前記表示の前記部分が、前記表示の第１の部分であり、前記表示複合モジュールが、前記表示の前記第１の部分を実行する間に、前記消費者アカウントを介してアクセスされる前記表示の前記第１の部分内に含まれる参照に応答して、前記表示の第２の部分を定義するように構成される、請求項１８に記載のコンピュータシステム。
【請求項２２】
ソーシャルメディアアプリケーションを使用して、複数の共有者コンテンツにアクセスする、消費者アカウントを介してトリガされる要求を受信することであって、前記共有者コンテンツが、前記ソーシャルメディアアプリケーションを使用して、共有者アカウントと関連付けられることと、
前記要求に応答して、消費者値および関係値を抽出することであって、前記消費者値が、前記消費者アカウントを介した前記ソーシャルメディアアプリケーションとの相互作用を表し、前記関係値が、前記消費者アカウントの消費者識別子と前記共有者アカウントの共有者識別子との間の関係を特徴付けること、
前記消費者値および前記関係値の組み合わせに基づいて、前記複数の共有者コンテンツから共有者コンテンツのサブセットを選択することと、
前記選択された共有者コンテンツのサブセットを使用して、前記消費者アカウントに対してカスタマイズされた表示の一部分を定義することと、
を含む、方法。
【請求項２３】
前記関係値が、前記共有者アカウントと関連付けられたソーシャルネットワークに基づいて定義され、前記ソーシャルネットワークが、前記消費者識別子および前記共有者識別子を含む前記ソーシャルメディアアプリケーションの複数のユーザ識別子間の複数の関係により定義される、請求項２２に記載の方法。
【請求項２４】
前記消費者値および前記関係値に基づいて、複数の表示テンプレートから表示テンプレートを選択することであって、前記表示の前記部分が、前記表示テンプレートに基づいて、ビジュアル構成またはオーディオ構成の少なくとも１つを有することをさらに含む、
請求項２２に記載の方法。
【請求項２５】
前記共有者コンテンツのサブセットの第１の部分を第１の文脈的カテゴリと関連付け、前記共有者コンテンツのサブセットの第２の部分を前記第１の文脈的カテゴリとは異なる第２の文脈的カテゴリと関連付けることをさらに含み、
前記選択が、前記消費者値と前記第１の文脈的カテゴリとの間の関係に基づいて、前記共有者コンテンツの前記サブセットの前記第１の部分を選択することを含み、前記選択が、前記消費者値と前記第２の文脈的カテゴリとの間の関係に基づいて、前記共有者コンテンツの前記サブセットの前記第２の部分を選択することを含む、
請求項２２に記載の方法。